(57)【要約】      （修正有）【課題】高い偏波保持性を維持しながら、リング共振器のＦＳＲの設計の自由度の高さと低い曲げ損失との両立を実現できる光導波路回路を提供すること。【解決手段】光導波路回路は、リング状導波路１１３と、入力接続導波路１１１と、出力接続導波路１１２と、リング状導波路と入力接続導波路、およびリング状導波路と出力接続導波路とを光学的に接続する光合分波部１１４と、を備え、入力接続導波路および出力接続導波路の少なくともいずれか一方は、複数の曲線導波路１１１ｂを含み、複数の曲線導波路の曲率半径と、リング状導波路の曲率半径とは異なっており、複数の曲線導波路の曲率符号と屈曲角度θ１２との積の総和と、リング状導波路の曲率符号と屈曲角度θ１１との積の総和は、絶対値が同じで符号が反対であり、リング状導波路において発生した光の偏波面の回転と、複数の曲線導波路において発生した光の偏波面の回転とが打ち消し合う。【選択図】図１
2020134601.tif 000002
【特許請求の範囲】
【請求項１】
リング状導波路と、
入力接続導波路と、
出力接続導波路と、
前記リング状導波路と前記入力接続導波路、および前記リング状導波路と前記出力接続導波路とを光学的に接続する光合分波部と、
を備え、
前記入力接続導波路および前記出力接続導波路の少なくともいずれか一方は、複数の曲線導波路を含み、
前記複数の曲線導波路の曲率半径と、前記リング状導波路の曲率半径とは異なっており、
前記複数の曲線導波路の曲率符号と屈曲角度との積の総和と、前記リング状導波路の曲率符号と屈曲角度との積の総和は、絶対値が同じで符号が反対であり、
前記リング状導波路において発生した光の偏波面の回転と、前記複数の曲線導波路において発生した光の偏波面の回転とが打ち消し合う
ことを特徴とする光導波路回路。
【請求項２】
前記複数の曲線導波路のそれぞれは、導波による光損失が１．０ｄＢ／ｃｍ以下となる曲率半径である
ことを特徴とする請求項１に記載の光導波路回路。
【請求項３】
前記光合分波部は、２つの光合分波器を有し、
前記入力接続導波路の一方と、前記出力接続導波路の一方とが、同一の側面へ延びている
ことを特徴とする請求項１または２に記載の光導波路回路。
【請求項４】
複数の前記リング状導波路を備え、
前記入力接続導波路は、少なくとも１つの分岐部と、前記少なくとも１つの分岐部から分岐されて前記複数のリング状導波路のそれぞれに光学的に接続する複数の分岐路とを有し、
前記複数の分岐路は、前記複数の曲線導波路を２箇所以上有し、
前記分岐路のそれぞれにおける曲線導波路の曲率符号と屈曲角度との積の総和が、互いに等しい
ことを特徴とする請求項１〜３のいずれか一つに記載の光導波路回路。
【請求項５】
複数の前記リング状導波路を備え、
前記入力接続導波路は、少なくとも１つの分岐部と、前記少なくとも１つの分岐部から分岐されて前記複数のリング状導波路のそれぞれに光学的に接続する複数の分岐路とを有し、
前記複数の分岐路は、前記複数の曲線導波路を２箇所以上有し、
前記複数のリング状導波路は、光の周回方向が互いに異なるリング状導波路を含む
ことを特徴とする請求項１〜３のいずれか一つに記載の光導波路回路。
【請求項６】
前記分岐路のそれぞれにおける曲線導波路の曲率符号と屈曲角度との積の総和が、互いに異なる
ことを特徴とする請求項５に記載の光導波路回路。
【請求項７】
複数の前記リング状導波路を備え、
前記複数のリング状導波路は、導波路長が互いに異なるリング状導波路を含む
ことを特徴とする請求項１〜６のいずれか一つに記載の光導波路回路。
【請求項８】
前記入力接続導波路からＴＥ偏波またはＴＭ偏波の単一偏波の光を入力した場合、前記出力接続導波路から出力された光における偏波モード結合量が−２５ｄＢ以下である
ことを特徴とする請求項１〜７のいずれか一つに記載の光導波路回路。
【請求項９】
前記入力接続導波路、前記リング状導波路、前記出力接続導波路、および前記光合分波部はコアによって構成され、前記コアはクラッドによって埋め込まれた埋め込み導波路である
ことを特徴とする請求項１〜８のいずれか一つに記載の光導波路回路。
【請求項１０】
前記クラッドに対する前記コアの比屈折率差が４．５％以上である
ことを特徴とする請求項９に記載の光導波路回路。
【請求項１１】
前記コアはＺｒＯ２を含む
ことを特徴とする請求項９または１０に記載の光導波路回路。
【発明の詳細な説明】
【技術分野】
【０００１】
本発明は、リング状導波路を備える光導波路回路に関するものである。
【背景技術】
【０００２】
光通信で用いられ、リング状導波路を有し、入力光の偏波状態を保持して出力する光導波回路が知られている。この種の光導波路回路は、リング状導波路、光合分波器、入力接続導波路、出力接続導波路から構成される。リング状導波路は円弧状の曲線導波路からなる。この種の光導波路回路の光透過強度は周期的な間隔（ＦＳＲ:  Free  Spectral  Range）もつ波長依存性を示す。ＦＳＲは、光速ｃ、リング状導波路の導波路長Ｌ、リング状導波路の実効屈折率ｎを用いて、FSR＝c／nLと表される。リング状導波路長を調整すれば自在にＦＳＲを設定できる。光通信には様々な透過特性をもつ光フィルタが使用されており、その一部はリング共振器を適用して実現することが可能である。
【０００３】
近年の光通信技術には偏波多重信号が用いられており、光導波路回路には入力した偏波を維持したまま出力する特性（偏波保持性と呼ぶ）が求められる。しかしながら、実際の光導波路回路では下記の理由で偏波保持性が失われていることがある。
【０００４】
基板上に形成された光導波路には導波路断面に対し非等方的な応力が存在する。これは、基板面に水平方向にはクラッドとコアからなる構造が平面状に広がっているが、基板面に垂直方向には一般的に水平方向よりも薄い構造となっており、それぞれの方向に対して導波路にかかる応力が異なるためである。また、導波路を構成する基板、下部クラッド、コア、上部クラッドの熱膨張係数が異なるとき、導波路の作製工程にて例えば１０００℃以上の高温熱処理があると、その冷却過程で導波路に熱応力が発生する。さらに上部クラッドの製法がＦＨＤ（Flame  Hydrolysis  Deposition）法である場合、微粒子からなる多孔質体を堆積し透明ガラス化させる過程でその体積が大きく変化し場合によってはコアを変形させるほどの大きな応力が発生する。これらの応力は異方性をもち、各偏波モードの振動面（振動方向を偏波主軸、振動面を偏波面と呼ぶ）が基板面に対して傾く原因となる。これは入力された偏波を維持して出力するといった偏波保持性を要求される光導波路回路において課題となる。
【０００５】
したがって、光導波路回路に、ＴＥ（Transverse  Electric）偏波（基板面と平行方向の偏波）の光を入力した際に、ＴＭ（Transverse  Magnetic）偏波の光が発生する場合がある。ここでＴＭ偏波とは基板面と垂直方向の偏波を指す。つまり入力時で存在しなかったＴＭ偏波の光が発生し、ＴＥ偏波の光の強度は減少する。この現象は、偏波結合と呼び、この場合ＴＭ成分強度をＴＥ偏波成分強度で割った偏波モード結合量で示すことが出来る。偏波を維持する用途において、偏波保持性が高いほど好ましい。つまり、偏波モード結合量が小さいほど好ましく、一般的に−２０ｄＢ以下が望まれる。
【０００６】
特許文献１には、曲率の正負が逆で曲率半径が等しく、かつ弧の角度が等しい屈曲部を組み合わせ、屈曲部で発生する光の偏波面の回転を打ち消しあう技術が開示されている。
【先行技術文献】
【特許文献】
【０００７】
【特許文献１】特許第５９５９５０５号公報
【発明の概要】
【発明が解決しようとする課題】
【０００８】
しかしながら、高い偏波保持性を実現するために、リング状導波路、光合分波器、入力接続導波路、出力接続導波路を備える光導波路回路において、曲率の正負が逆で曲率半径が等しく、かつ弧の角度が等しい屈曲部を組み合わせると、以下の問題が生じる。すなわち、屈曲部の特性として、曲率の正負、曲率半径、弧の角度の組み合わせが限定されてしまうため、リング共振器のＦＳＲを自由に設計できない可能性がある。一方、リング共振器のＦＳＲを所望の値とするために屈曲部の特性を決定すると、それに応じて入力接続導波路、出力接続導波路に屈曲部を設ける必要があるが、屈曲部に過度の曲げ損失が生じる可能性がある。
【０００９】
本発明は、上記に鑑みてなされたものであって、高い偏波保持性を維持しながら、リング共振器のＦＳＲの設計の自由度の高さと低い曲げ損失との両立を実現できる光導波路回路を提供することを目的とする。
【課題を解決するための手段】
【００１０】
上述した課題を解決し、目的を達成するために、本発明の一態様に係る光導波路回路は、リング状導波路と、入力接続導波路と、出力接続導波路と、前記リング状導波路と前記入力接続導波路、および前記リング状導波路と前記出力接続導波路とを光学的に接続する光合分波部と、を備え、前記入力接続導波路および前記出力接続導波路の少なくともいずれか一方は、複数の曲線導波路を含み、前記複数の曲線導波路の曲率半径と、前記リング状導波路の曲率半径とは異なっており、前記複数の曲線導波路の曲率符号と屈曲角度との積の総和と、前記リング状導波路の曲率符号と屈曲角度との積の総和は、絶対値が同じで符号が反対であり、前記リング状導波路において発生した光の偏波面の回転と、前記複数の曲線導波路において発生した光の偏波面の回転とが打ち消し合うことを特徴とする。
【００１１】
本発明の一態様に係る光導波路回路は、前記複数の曲線導波路のそれぞれは、導波による光損失が１．０ｄＢ／ｃｍ以下となる曲率半径であることを特徴とする。
【００１２】
本発明の一態様に係る光導波路回路は、前記光合分波部は、２つの光合分波器を有し、
前記入力接続導波路の一方と、前記出力接続導波路の一方とが、同一の側面へ延びていることを特徴とする。
【００１３】
本発明の一態様に係る光導波路回路は、複数の前記リング状導波路を備え、
前記入力接続導波路は、少なくとも１つの分岐部と、前記少なくとも１つの分岐部から分岐されて前記複数のリング状導波路のそれぞれに光学的に接続する複数の分岐路とを有し、前記複数の分岐路は、前記複数の曲線導波路を２箇所以上有し、前記分岐路のそれぞれにおける曲線導波路の曲率符号と屈曲角度との積の総和が、互いに等しいことを特徴とする。
【００１４】
本発明の一態様に係る光導波路回路は、複数の前記リング状導波路を備え、前記入力接続導波路は、少なくとも１つの分岐部と、前記少なくとも１つの分岐部から分岐されて前記複数のリング状導波路のそれぞれに光学的に接続する複数の分岐路とを有し、前記複数の分岐路は、前記複数の曲線導波路を２箇所以上有し、前記複数のリング状導波路は、光の周回方向が互いに異なるリング状導波路を含むことを特徴とする。
【００１５】
本発明の一態様に係る光導波路回路は、前記分岐路のそれぞれにおける曲線導波路の曲率符号と屈曲角度との積の総和が、互いに異なることを特徴とする。
【００１６】
本発明の一態様に係る光導波路回路は、複数の前記リング状導波路を備え、前記複数のリング状導波路は、導波路長が互いに異なるリング状導波路を含むことを特徴とする。
【００１７】
本発明の一態様に係る光導波路回路は、前記入力接続導波路からＴＥ偏波またはＴＭ偏波の単一偏波の光を入力した場合、前記出力接続導波路から出力された光における偏波モード結合量が−２５ｄＢ以下であることを特徴とする。
【００１８】
本発明の一態様に係る光導波路回路は、前記入力接続導波路、前記リング状導波路、前記出力接続導波路、および前記光合分波部はコアによって構成され、前記コアはクラッドによって埋め込まれた埋め込み導波路であることを特徴とする。
【００１９】
本発明の一態様に係る光導波路回路は、前記クラッドに対する前記コアの比屈折率差が４．５％以上であることを特徴とする。
【００２０】
本発明の一態様に係る光導波路回路は、前記コアはＺｒＯ２を含むことを特徴とする。
【発明の効果】
【００２１】
本発明によれば、高い偏波保持性を維持しながら、リング共振器のＦＳＲの設計の自由度の高さと低い曲げ損失との両立を実現できるという効果を奏する。
【図面の簡単な説明】
【００２２】
【図１】図１は、実施形態１に係る光導波路回路の模式図である。
【図２】図２は、図１に示す光導波路回路の一部の断面図である。
【図３】図３は、曲げ半径と曲げ損失およびＦＳＲとの関係の一例を示す図である。
【図４】図４は、実施形態２に係る光導波路回路の模式図である。
【図５】図５は、実施形態３に係る光導波路回路の模式図である。
【図６】図６は、実施形態４に係る光導波路回路の模式図である。
【発明を実施するための形態】
【００２３】
以下に、図面を参照して実施形態について説明する。なお、この実施形態によりこの発明が限定されるものではない。また、図面の記載において、同一または対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２４】
（実施形態１）
図１は、実施形態１に係る光導波路回路の模式図である。光導波路回路１００は、コアで構成されている光導波路１１０とクラッド１２０とを有するＰＬＣ(Planar  Lightwave  Circuit)で構成されている。
【００２５】
図２は、光導波路回路１００の一部の断面図である。クラッド１２０は、光導波路１１０を取り囲んでおり、下部クラッド１２１と、上部クラッド１２２とを備えている。クラッド１２０は、例えばシリコン基板やガラス基板上に形成されている。クラッド１２０は、石英系ガラス材料で構成されている。なお、図示するように、ＴＥ偏波は基板面と平行方向の偏波であり、ＴＭ偏波は基板面と垂直方向の偏波である。
【００２６】
光導波路１１０は、クラッド１２０の屈折率よりも高い屈折率を有する石英系ガラス材料で構成されている。このような屈折率が高い石英系ガラス材料として、たとえば屈折率を高めるドーパントとしてのゲルマニア（ＧｅＯ２）やジルコニア（ＺｒＯ２）を含む石英ガラスを用いることができる。特に、ジルコニアを含む石英ガラスであるいわゆるＳｉＯ２−ＺｒＯ２系材料であれば、クラッド１２０に対する光導波路１１０の比屈折率差を、たとえば４．５％以上と高くできるので、光導波路回路１００を小型化する場合には好ましい。コアで構成されている光導波路１１０はクラッド１２０によって埋め込まれた埋め込み導波路である。
【００２７】
本実施形態では、クラッド１２０に対する光導波路１１０の比屈折率差が４．５％であるとする。
【００２８】
図１に戻って、光導波路１１０は、入力接続導波路１１１と、出力接続導波路１１２と、リング状導波路１１３と、光合分波部である光合分波器１１４とを備えている。
【００２９】
リング状導波路１１３は、一定の半径を有する円状である。入力接続導波路１１１は、複数の曲線導波路を含む。具体的には、入力接続導波路１１１は、直線導波路１１１ａ、曲線導波路１１１ｂ、直線導波路１１１ｃ、曲線導波路１１１ｄ、直線導波路１１１ｅ、とで構成されている。入力接続導波路１１１の一方は光導波路回路１００の図面左側の側面へ延びている。
【００３０】
出力接続導波路１１２は、直線導波路で構成されている。出力接続導波路１１２の一方は、光導波路回路１００の図面右側の側面へ延びている。
【００３１】
光合分波器１１４は、リング状導波路１１３と入力接続導波路１１１、およびリング状導波路１１３と出力接続導波路１１２とを光学的に接続する。光合分波器１１４は、入力側が２ポート、出力側が２ポートの２×２型であり、たとえば方向性結合型や多モード光干渉（ＭＭＩ）型のものである。
【００３２】
曲線導波路１１１ｂ、曲線導波路１１１ｄの曲率半径と、リング状導波路１１３の曲率半径とは異なっている。例えば、曲線導波路１１１ｂ、曲線導波路１１１ｄの曲率半径は２５０μｍである。リング状導波路１１３の曲率半径は２０６μｍである。
【００３３】
また、曲線導波路１１１ｂ、曲線導波路１１１ｄは、光の導波方向が矢印で示すように反時計回りであり、曲率符号が負である。曲線導波路１１１ｂの屈曲角度θ１１は２７０度である。曲線導波路１１１ｄの屈曲角度θ１１は９０度である。したがって、曲線導波路１１１ｂ、曲線導波路１１１ｄの曲率符号と屈曲角度との積の総和は−３６０度である。
【００３４】
一方、リング状導波路１１３は、光の導波方向が矢印で示すように時計回りであり、曲率符号が正である。リング状導波路１１３の屈曲角度は３６０度である。したがって、リング状導波路１１３の曲率符号と屈曲角度との積の総和は３６０度である。
【００３５】
このように、曲線導波路１１１ｂ、曲線導波路１１１ｄの曲率符号と屈曲角度との積の総和と、リング状導波路１１３の曲率符号と屈曲角度との積の総和とが、絶対値が同じで符号が反対となっている。これによって、リング状導波路１１３において発生した光の偏波面の回転と、曲線導波路１１１ｂ、曲線導波路１１１ｄにおいて発生した光の偏波面の回転とが打ち消し合う。
【００３６】
したがって、入力接続導波路１１１から入力される光Ｌ１１がＴＥ偏波の単一偏波の光であるとすると、出力接続導波路１１２から出力される光Ｌ１２も略ＴＥ偏波の光となり、高い偏波保持性が維持される。同様に、光Ｌ１１がＴＭ偏波の光の場合も光Ｌ１２が略ＴＭ偏波の光となり、高い偏波保持性が維持される。
【００３７】
また、図３は、曲げ半径（Ｒａｄｉｕｓ）と曲げ損失（Ｂｅｎｄｉｎｇ  Ｌｏｓｓ）およびＦＳＲとの関係の一例を示す図である。光導波路回路１００では、曲線導波路１１１ｂ、曲線導波路１１１ｄの曲率半径と、リング状導波路１１３の曲率半径とは異なっているので、それぞれを最適な値とできる。たとえば、リング状導波路１１３の曲率半径を２０６μｍとすることで、ＦＳＲを１５０ＧＨｚとなるように設計できる。また、曲線導波路１１１ｂ、曲線導波路１１１ｄの曲率半径を２５０μｍとすることで、導波による光損失（主には曲げ損失）を１ｄＢ／ｃｍ程度またはそれ以下に低減でき、かつ光導波路回路１００を小型化できる。
【００３８】
たとえば、図３は、曲げ半径（Ｒａｄｉｕｓ）と曲げ損失（Ｂｅｎｄｉｎｇ  Ｌｏｓｓ）およびＦＳＲとの関係の一例を示す図である。
【００３９】
特許文献１のように、曲率の正負が逆で曲率半径が等しく、かつ弧の角度が等しい屈曲部を組み合わせた技術の場合は、曲線導波路１１１ｂ、曲線導波路１１１ｄの曲率半径を２５０μｍとした場合は、リング状導波路１１３の曲率半径も２５０μｍとする必要がある。この場合、曲げ損失を１ｄＢ／ｃｍとできるが、ＦＳＲは１２４ＧＨｚに固定されてしまう。一方、ＦＳＲを１５０ＧＨｚとなるようにリング状導波路１１３の曲率半径を２０６μｍとすると、曲線導波路１１１ｂ、曲線導波路１１１ｄの曲率半径も２０６μｍとする必要がある。この場合、曲線導波路１１１ｂ、曲線導波路１１１ｄの曲率半径を２５０μｍとした場合よりも光損失が増加してしまい、曲げ損失が１ｄＢ／ｃｍを超えてしまう。
【００４０】
以上説明したように、光導波路回路１００では、高い偏波保持性を維持しながら、リング状導波路１１３のＦＳＲの設計の自由度の高さと低い曲げ損失との両立を実現できる。なお、上記の曲率半径や屈曲角度は例示であって、曲げ損失やＦＳＲの要求に応じて自由に設定できる。
【００４１】
光導波路回路１００は、たとえば以下のような工程で製造できる。まず、ＦＨＤ法により、基板上に石英系ガラスの微粒子を堆積し、これを加熱してガラス微粒子を透明ガラス化し、下部クラッド１２１を形成する。つぎに、下部クラッド１２１上にスパッタ法によって、コアとなる石英系ガラス微粒子層を堆積する。この際、コアとクラッドの比屈折率差が４．５％となるように、ＺｒＯ２をＳｉＯ２に添加してコアとなる石英系ガラス微粒子層の屈折率をクラッドよりも高くする。つぎに、光導波路回路１００の光導波路１１０の回路パターンをもつフォトマスクを使ったフォトリソグラフィにより、レジストからなるエッチングマスクを形成する。続いて、フッ素系ガスなどのエッチングガスを用いて、エッチングマスクで覆われていない石英系ガラス微粒子層のドライエッチングを行う。最後に、ＦＨＤ法により石英系ガラスの微粒子を堆積し、これを加熱してガラス微粒子を透明ガラス化し、クラッド１２０の上部を構成する上部クラッド１２２を形成する。以上により、光導波路回路１００を製造できる。
【００４２】
実施例１として、上記製造方法にて光導波路回路１００の構成を有する光導波路回路を製造した。製造した光導波路回路の特性を測定したところ、ＦＳＲは１５０ＧＨｚであった。また、入力接続導波路からＴＥ偏波の光を入力して、その偏波モード結合量を測定したところ、−２５ｄＢ以下の好適な値が得られた。また、入力接続導波路の曲線導波路部をダイシングしてその光損失を測定したところ、０．９５ｄＢ／ｃｍ以下の好適な値であった。
【００４３】
なお、比較例１として、入力接続導波路の２つの曲線導波路とリング状導波路とのいずれの曲率半径も２５０μｍとした以外は実施例１と同じ構成の光導波路回路を製造したところ、偏波モード結合量が−２５ｄＢ以下の好適な値であったが、ＦＳＲは１２４ＧＨｚであり、所望の１５０ＧＨｚとはできなかった。
【００４４】
また、比較例２として、入力接続導波路と出力接続導波路とのそれぞれを、２つの直線導波路の間に１つのＳ字の曲線導波路を設け、Ｓ字の曲線導波路とリング状導波路とのいずれの曲率半径も２５０μｍとした以外は実施例１と同じ構成の光導波路回路を製造した。この場合、入力接続導波路と出力接続導波路とのそれぞれにおいて発生した光の偏波面の回転は、Ｓ字の曲線導波路内で打ち消させる。しかしながら、光導波路回路の特性を測定したところ、偏波モード結合量が−１３ｄＢとなり、実用上不適当な値であった。
【００４５】
（実施形態２）
図４は、実施形態２に係る光導波路回路の模式図である。光導波路回路２００は、コアで構成されている光導波路２１０とクラッド２２０とを有するＰＬＣで構成されている。
【００４６】
光導波路回路２００の断面構造や、光導波路２１０やクラッド２２０の材料や比屈折率差は、実施形態１に係る光導波路回路１００の対応する要素と同じであってよい。
【００４７】
光導波路２１０は、入力接続導波路２１１と、出力接続導波路２１２と、リング状導波路２１３と、光合分波部を構成する２つの光合分波器２１４ａ、２１４ｂとを備えている。
【００４８】
リング状導波路２１３は、一定の半径を有する円状である。入力接続導波路２１１は、直線導波路で構成されている。入力接続導波路２１１の一方は、光導波路回路２００の図面左側の側面へ延びている。
【００４９】
出力接続導波路２１２は、複数の曲線導波路を含む。具体的には、出力接続導波路２１２は、直線導波路２１２ａ、曲線導波路２１２ｂ、直線導波路２１２ｃ、曲線導波路２１２ｄ、直線導波路２１２ｅ、とで構成されている。出力接続導波路２１２の一方は光導波路回路１００の図面左側の側面へ延びている。すなわち、入力接続導波路２１１の一方と、出力接続導波路２１２の一方とが、同一の側面へ延びている。
【００５０】
光合分波器２１４ａは、リング状導波路２１３と入力接続導波路２１１とを光学的に接続する。光合分波器２１４ｂは、リング状導波路２１３と出力接続導波路２１２とを光学的に接続する。光合分波器２１４ａ、２１４ｂは、２×２型であり、たとえば方向性結合型やＭＭＩ型のものである。
【００５１】
曲線導波路２１２ｂ、曲線導波路２１２ｄの曲率半径と、リング状導波路２１３の曲率半径とは異なっている。例えば、曲線導波路２１２ｂ、曲線導波路２１２ｄの曲率半径は２５０μｍである。リング状導波路２１３の曲率半径は２０６μｍである。
【００５２】
また、曲線導波路２１２ｂ、曲線導波路２１２ｄは、光の導波方向が矢印で示すように反時計回りであり、曲率符号が負である。曲線導波路２１２ｂの屈曲角度は９０度である。曲線導波路２１２ｄの屈曲角度は２７０度である。したがって、曲線導波路２１２ｂ、曲線導波路２１２ｄの曲率符号と屈曲角度との積の総和は−３６０度である。
【００５３】
一方、リング状導波路２１３は、光の導波方向が矢印で示すように時計回りであり、曲率符号が正である。リング状導波路２１３の屈曲角度は３６０度である。したがって、リング状導波路２１３の曲率符号と屈曲角度との積の総和は３６０度である。
【００５４】
このように、曲線導波路２１２ｂ、曲線導波路２１２ｄの曲率符号と屈曲角度との積の総和と、リング状導波路２１３の曲率符号と屈曲角度との積の総和とが、絶対値が同じで符号が反対となっている。これによって、リング状導波路２１３において発生した光の偏波面の回転と、曲線導波路２１２ｂ、曲線導波路２１２ｄにおいて発生した光の偏波面の回転とが打ち消し合う。その結果、入力された光Ｌ２１がＴＥ偏波、ＴＭ偏波のいずれにであっても、高い偏波保持性が維持された状態で、光Ｌ２２が出力される。
【００５５】
光導波路回路２００では、曲線導波路２１２ｂ、曲線導波路２１２ｄの曲率半径と、リング状導波路２１３の曲率半径とは異なっているので、それぞれを最適な値とできる。たとえば、リング状導波路２１３の曲率半径を２０６μｍとすることで、ＦＳＲを１５０ＧＨｚとなるように設計できる。また、曲線導波路２１２ｂ、曲線導波路２１２ｄの曲率半径を２５０μｍとすることで、導波による光損失（主には曲げ損失）を１ｄＢ／ｃｍ程度またはそれ以下に低減でき、かつ光導波路回路２００を小型化できる。
【００５６】
以上説明したように、光導波路回路２００では、高い偏波保持性を維持しながら、リング状導波路２１３のＦＳＲの設計の自由度の高さと低い曲げ損失との両立を実現できる。なお、上記の曲率半径や屈曲角度は例示であって、曲げ損失やＦＳＲの要求に応じて自由に設定できる。また、光導波路回路２００では、入力接続導波路２１１の一方と、出力接続導波路２１２の一方とが、同一の側面へ延びているので、光ファイバアレイや他の光導波路回路と接続し易い。
【００５７】
実施例２として、上記製造方法にて光導波路回路２００の構成を有する光導波路回路を製造した。製造した光導波路回路の特性を測定したところ、ＦＳＲは１５０ＧＨｚであった。また、入力接続導波路からＴＥ偏波の光を入力して、その偏波モード結合量を測定したところ、−２５ｄＢ以下の好適な値が得られた。また、出力接続導波路の曲線導波路部をダイシングしてその光損失を測定したところ、０．９５ｄＢ／ｃｍ以下の好適な値であった。
【００５８】
（実施形態３）
図５は、実施形態３に係る光導波路回路の模式図である。光導波路回路３００は、コアで構成されている光導波路３１０とクラッド３２０とを有するＰＬＣで構成されている。
【００５９】
光導波路回路３００の断面構造や、光導波路３１０やクラッド３２０の材料や比屈折率差は、実施形態１に係る光導波路回路１００の対応する要素と同じであってよい。
【００６０】
光導波路３１０は、入力接続導波路３１１と、２つの出力接続導波路３１２ａ、３１２ｂと、複数であり、本実施形態では２つであるリング状導波路３１３ａ、３１３ｂと、光合分波部を構成する４つの光合分波器３１４ａａ、３１４ａｂ、３１４ｂａ、３１４ｂｂとを備えている。
【００６１】
リング状導波路３１３ａ、３１３ｂは、一定の半径を有する屈曲角度９０度の曲線導波路を含んで構成されており、光合分波器３１４ａａ、３１４ａｂ、３１４ｂａ、３１４ｂｂも含めて長円状である。リング状導波路３１３ａ、３１３ｂのそれぞれの導波路長は互いに等しく、また光の周回方向も矢印で示すように互いに等しい。
【００６２】
入力接続導波路３１１は、複数の曲線導波路と分岐部とを含む。具体的には、入力接続導波路３１１は、直線導波路３１１ａ、曲線導波路３１１ｂ、直線導波路３１１ｃ、分岐部３１１ｄ、曲線導波路３１１ｅ、直線導波路３１１ｆ、曲線導波路３１１ｇ、曲線導波路３１１ｈ、直線導波路３１１ｉ、曲線導波路３１１ｊ、直線導波路３１１ｋ、曲線導波路３１１ｌ、曲線導波路３１１ｍ、直線導波路３１１ｎとで構成されている。入力接続導波路３１１の一方は光導波路回路３００の図面左側の側面へ延びている。分岐部３１１ｄは、入力接続導波路３１１を分岐する。曲線導波路３１１ｅ、直線導波路３１１ｆ、曲線導波路３１１ｇは、分岐部３１１ｄから分岐されてリング状導波路３１３ａに光学的に接続する第１分岐路を構成している。第１分岐路は２箇所の曲線導波路３１１ｅ、３１１ｇを有する。曲線導波路３１１ｈ、直線導波路３１１ｉ、曲線導波路３１１ｊ、直線導波路３１１ｋ、曲線導波路３１１ｌ、曲線導波路３１１ｍ、直線導波路３１１ｎは、分岐部３１１ｄから分岐されてリング状導波路３１３ｂに光学的に接続する第２分岐路を構成している。第２分岐路は３箇所の曲線導波路３１１ｈ、３１１ｊ、３１１ｌ、３１１ｍを有する。分岐部３１１ｄにおける光の分岐比は、たとえば１：１であるが、特に限定はされない。また、分岐部３１１ｄは１×２型であり、たとえば方向性結合型やＭＭＩ型のものである。
【００６３】
ここで、曲線導波路３１１ｌ、曲線導波路３１１ｍは、連続しているが、その曲率の符号が異なるので、別個の曲線導波路とみなせる。なお、本明細書においては、２つの曲線導波路が連続していても、曲率の符号または曲率半径が異なれば、別個の曲線導波路とみなす。
【００６４】
出力接続導波路３１２ａは、曲線導波路３１２ａａ、直線導波路３１２ａｂ、とで構成されている。出力接続導波路３１２ｂは、曲線導波路３１２ｂａ、直線導波路３１２ｂｂ、曲線導波路３１２ｂｃ、直線導波路３１２ｂｄ、曲線導波路３１２ｂｅ、直線導波路３１２ｂｆ、とで構成されている。出力接続導波路３１２ａ、３１２ｂの一方は光導波路回路３００の図面左側の側面へ延びている。すなわち、入力接続導波路３１１の一方と出力接続導波路３１２ａ、３１２ｂの一方とが、同一の側面へ延びている。
【００６５】
光合分波器３１４ａａは、リング状導波路３１３ａと入力接続導波路３１１において第１分岐路を構成する曲線導波路３１１ｇとを光学的に接続する。光合分波器３１４ａｂは、リング状導波路３１３ａと出力接続導波路３１２ａの曲線導波路３１２ａａとを光学的に接続する。光合分波器３１４ｂａは、リング状導波路３１３ｂと入力接続導波路３１１において第２分岐路を構成する直線導波路３１１ｎとを光学的に接続する。光合分波器３１４ｂｂは、リング状導波路３１３ｂと出力接続導波路３１２ｂの曲線導波路３１２ｂａとを光学的に接続する。光合分波器３１４ａａ、３１４ａｂ、３１４ｂａ、３１４ｂｂは、２×２型であり、たとえば方向性結合型やＭＭＩ型のものである。
【００６６】
入力接続導波路３１１、出力接続導波路３１２ａ、３１２ｂの各曲線導波路の曲率半径と、リング状導波路３１３ａ、３１３ｂの曲線導波路の曲率半径とは異なっている。例えば、入力接続導波路３１１、出力接続導波路３１２ａ、３１２ｂの各曲線導波路の曲率半径は２５０μｍである。リング状導波路３１３ａ、３１３ｂの曲線導波路の曲率半径は４１２μｍである。
【００６７】
ここで、入力接続導波路３１１においてリング状導波路３１３ａに到るまでの曲線導波路３１１ｂ、３１１ｅ、３１１ｇについては、光の導波方向が反時計回りであり、曲率符号が負である。曲線導波路３１１ｂ、３１１ｅ、３１１ｇの屈曲角度はそれぞれ９０度である。したがって、曲線導波路３１１ｂ、３１１ｅ、３１１ｇの曲率符号と屈曲角度との積の総和は−２７０度である。
【００６８】
一方、リング状導波路３１３ａの曲線導波路は、光の導波方向が矢印で示すように時計回りであり、曲率符号が正である。リング状導波路３１３ａの曲線導波路の屈曲角度は３６０度である。したがって、リング状導波路３１３ａにおける曲率符号と屈曲角度との積の総和は３６０度である。
【００６９】
さらに、出力接続導波路３１２ａにおける曲線導波路３１２ａａについては、光の導波方向が反時計回りであり、曲率符号が負であり、屈曲角度は９０度である。したがって、曲線導波路３１２ａａの曲率符号と屈曲角度との積は−９０度である。
【００７０】
その結果、曲線導波路３１１ｂ、３１１ｅ、３１１ｇ、３１２ａａの曲率符号と屈曲角度との積の総和と、リング状導波路３１３ａの曲率符号と屈曲角度との積の総和とが、絶対値が同じで符号が反対となっている。これによって、リング状導波路３１３ａにおいて発生した光の偏波面の回転と、曲線導波路３１１ｂ、３１１ｅ、３１１ｇ、３１２ａａにおいて発生した光の偏波面の回転とが打ち消し合う。その結果、入力された光Ｌ３１がＴＥ偏波、ＴＭ偏波のいずれにであっても、高い偏波保持性が維持された状態で、光Ｌ３２が出力される。
【００７１】
同様に、入力接続導波路３１１においてリング状導波路３１３ｂに到るまでの曲線導波路３１１ｂ、３１１ｈ、３１１ｊ、３１１ｌ、３１１ｍについては、光の導波方向が反時計回りまたは時計周りであり、曲率符号が負または正である。曲線導波路３１１ｂ、３１１ｈ、３１１ｊ、３１１ｌ、３１１ｍの屈曲角度はそれぞれ９０度である。したがって、曲線導波路３１１ｂ、３１１ｈ、３１１ｊ、３１１ｌ、３１１ｍの曲率符号と屈曲角度との積の総和は−２７０度である。
【００７２】
すなわち、第１分岐路と第２分岐路とのそれぞれにおける曲線導波路の曲率符号と屈曲角度との積の総和が、互いに等しい。
【００７３】
一方、リング状導波路３１３ｂの曲線導波路は、光の導波方向が矢印で示すように時計回りであり、曲率符号が正である。リング状導波路３１３ｂの曲線導波路の屈曲角度は３６０度である。したがって、リング状導波路３１３ｂにおける曲率符号と屈曲角度との積の総和は３６０度である。
【００７４】
さらに、出力接続導波路３１２ｂにおける曲線導波路３１２ｂａ、３１２ｂｃ、３１２ｂｅについては、光の導波方向が反時計回りまたは時計周りであり、曲率符号が負または正であり、屈曲角度は９０度である。したがって、曲線導波路３１２ｂａ、３１２ｂｃ、３１２ｂｅの曲率符号と屈曲角度との積の総和は−９０度である。
【００７５】
その結果曲線導波路３１１ｂ、３１１ｈ、３１１ｊ、３１１ｌ、３１１ｍ、３１２ｂａ、３１２ｂｃ、３１２ｂｅの曲率符号と屈曲角度との積の総和と、リング状導波路３１３ｂにおける曲率符号と屈曲角度との積の総和とが、絶対値が同じで符号が反対となっている。これによって、リング状導波路３１３ｂにおいて発生した光の偏波面の回転と、曲線導波路３１１ｂ、３１１ｈ、３１１ｊ、３１１ｌ、３１１ｍ、３１２ｂａ、３１２ｂｃ、３１２ｂｅにおいて発生した光の偏波面の回転とが打ち消し合う。その結果、入力された光Ｌ３１がＴＥ偏波、ＴＭ偏波のいずれにであっても、高い偏波保持性が維持された状態で、光Ｌ３３が出力される。
【００７６】
光導波路回路３００では、入力接続導波路３１１、出力接続導波路３１２ａ、３１２ｂにおける各曲線導波路の曲率半径と、リング状導波路３１３ａ、３１３ｂの曲率半径とは異なっているので、それぞれを最適な値とできる。たとえば、リング状導波路３１３ａ、３１３ｂの曲率半径を４１２μｍとすることで、ＦＳＲを７５ＧＨｚとなるように設計できる。また、入力接続導波路３１１、出力接続導波路３１２ａ、３１２ｂにおける各曲線導波路の曲率半径を２５０μｍとすることで、導波による光損失を低減でき、かつ光導波路回路３００を小型化できる。
【００７７】
以上説明したように、光導波路回路２００では、高い偏波保持性を維持しながらＦＳＲの設計の自由度の高さと低い曲げ損失との両立を実現できる。なお、上記の曲率半径や屈曲角度は例示であって、曲げ損失やＦＳＲの要求に応じて自由に設定できる。また、光導波路回路３００では、入力接続導波路３１１の一方と、出力接続導波路３１２ａ、３１２ｂの一方とが、同一の側面へ延びているので、光ファイバアレイや他の光導波路回路と接続し易い。
【００７８】
実施例３として、上記製造方法にて光導波路回路３００の構成を有する光導波路回路を製造した。製造した光導波路回路の特性を測定したところ、２つのリング状導波路によるリング共振器のＦＳＲは７５ＧＨｚであった。また、入力接続導波路からＴＥ偏波の光を入力して、その偏波モード結合量を測定したところ、−２５ｄＢ以下の好適な値が得られた。また、入力接続導波路および出力接続導波路の曲線導波路の部分をダイシングしてその光損失を測定したところ、０．９５ｄＢ／ｃｍ以下の好適な値であった。
【００７９】
（実施形態４）
図６は、実施形態４に係る光導波路回路の模式図である。光導波路回路４００は、コアで構成されている光導波路４１０とクラッド４２０とを有するＰＬＣで構成されている。
【００８０】
光導波路回路４００の断面構造や、光導波路４１０やクラッド４２０の材料や比屈折率差は、実施形態１に係る光導波路回路１００の対応する要素と同じであってよい。
【００８１】
光導波路４１０は、入力接続導波路４１１と、２つの出力接続導波路４１２ａ、４１２ｂと、複数であり、本実施形態では２つであるリング状導波路４１３ａ、４１３ｂと、光合分波部を構成する４つの光合分波器４１４ａａ、４１４ａｂ、４１４ｂａ、４１４ｂｂとを備えている。
【００８２】
リング状導波路４１３ａ、４１３ｂは、一定の半径を有する屈曲角度９０度の曲線導波路を含んで構成されており、光合分波器３１４ａａ、３１４ａｂ、３１４ｂａ、３１４ｂｂも含めて長円状である。また、リング状導波路４１３ｂには直線導波路も含まれている。また、リング状導波路４１３ａ、４１３ｂのそれぞれの導波路長は互いに異なり、また光の周回方向も矢印で示すように互いに異なる。
【００８３】
入力接続導波路４１１は、複数の曲線導波路と分岐部とを含む。具体的には、入力接続導波路４１１は、直線導波路４１１ａ、曲線導波路４１１ｂ、曲線導波路４１１ｃ、直線導波路４１１ｄ、曲線導波路４１１ｅ、分岐部４１１ｆ、直線導波路４１１ｇ、曲線導波路４１１ｈ、直線導波路４１１ｉ、曲線導波路４１１ｊ、直線導波路４１１ｋ、曲線導波路４１１ｌ、曲線導波路４１１ｍ、直線導波路４１１ｎとで構成されている。入力接続導波路４１１の一方は光導波路回路４００の図面左側の側面へ延びている。分岐部４１１ｆは、入力接続導波路４１１を分岐する。直線導波路４１１ｇ、曲線導波路４１１ｈ、直線導波路４１１ｉ、曲線導波路４１１ｊは、分岐部４１１ｆから分岐されてリング状導波路４１３ａに光学的に接続する第１分岐路を構成している。第１分岐路は２箇所の曲線導波路４１１ｈ、４１１ｊを有する。直線導波路４１１ｋ、曲線導波路４１１ｌ、曲線導波路４１１ｍ、直線導波路４１１ｎは、分岐部４１１ｆから分岐されてリング状導波路４１３ｂに光学的に接続する第２分岐路を構成している。第２分岐路は２箇所の曲線導波路４１１ｌ、４１１ｍを有する。分岐部４１１ｆにおける光の分岐比は、たとえば１：１であるが、特に限定はされない。また、分岐部４１１ｆは１×２型であり、たとえば方向性結合型やＭＭＩ型のものである。
【００８４】
出力接続導波路４１２ａは、曲線導波路４１２ａａ、直線導波路４１２ａｂ、とで構成されている。出力接続導波路４１２ｂは、曲線導波路４１２ｂａ、直線導波路４１２ｂｂ、曲線導波路４１２ｂｃ、直線導波路４１２ｂｄ、曲線導波路４１２ｂｅ、直線導波路４１２ｂｆ、曲線導波路４１２ｂｇ、直線導波路４１２ｂｈ、曲線導波路４１２ｂｉ、直線導波路４１２ｂｊ、曲線導波路４１２ｂｋ、直線導波路４１２ｂｌ、とで構成されている。出力接続導波路４１２ａ、４１２ｂの一方は光導波路回路４００の図面左側の側面へ延びている。すなわち、入力接続導波路４１１の一方と出力接続導波路４１２ａ、４１２ｂの一方とが、同一の側面へ延びている。
【００８５】
光合分波器４１４ａａは、リング状導波路４１３ａと入力接続導波路４１１において第１分岐路を構成する曲線導波路４１１ｊとを光学的に接続する。光合分波器４１４ａｂは、リング状導波路４１３ａと出力接続導波路４１２ａの曲線導波路４１２ａａとを光学的に接続する。光合分波器４１４ｂａは、リング状導波路４１３ｂと入力接続導波路４１１において第２分岐路を構成する直線導波路４１１ｎとを光学的に接続する。光合分波器４１４ｂｂは、リング状導波路４１３ｂと出力接続導波路４１２ｂの曲線導波路４１２ｂａとを光学的に接続する。光合分波器４１４ａａ、４１４ａｂ、４１４ｂａ、４１４ｂｂは、２×２型であり、たとえば方向性結合型やＭＭＩ型のものである。
【００８６】
入力接続導波路４１１、出力接続導波路４１２ａ、４１２ｂの各曲線導波路の曲率半径と、リング状導波路４１３ａ、４１３ｂの曲線導波路の曲率半径とは異なっている。例えば、入力接続導波路４１１、出力接続導波路４１２ａ、４１２ｂの各曲線導波路の曲率半径は２５０μｍである。リング状導波路４１３ａ、４１３ｂの曲線導波路の曲率半径は４１２μｍである。リング状導波路４１３ｂの直線導波路の長さは１２４４μｍである。
【００８７】
ここで、入力接続導波路４１１においてリング状導波路４１３ａに到るまでの曲線導波路４１１ｂ、４１１ｃ、４１１ｅ、４１１ｈ、４１１ｊについては、光の導波方向が反時計回りまたは反時計周りであり、曲率符号が負または正であり、屈曲角度は６０度または９０度である。曲線導波路４１１ｂ、４１１ｃ、４１１ｅ、４１１ｈ、４１１ｊの曲率符号と屈曲角度との積の総和は−２７０度である。
【００８８】
一方、リング状導波路４１３ａの曲線導波路は、光の導波方向が矢印で示すように時計回りであり、曲率符号が正である。リング状導波路４１３ａの曲線導波路の屈曲角度は３６０度である。したがって、リング状導波路４１３ａにおける曲率符号と屈曲角度との積の総和は３６０度である。
【００８９】
さらに、出力接続導波路４１２ａにおける曲線導波路４１２ａａについては、光の導波方向が反時計回りであり、曲率符号が負であり、屈曲角度は９０度である。したがって、曲線導波路４１２ａａの曲率符号と屈曲角度との積は−９０度である。
【００９０】
その結果、曲線導波路４１１ｂ、４１１ｃ、４１１ｅ、４１１ｈ、４１１ｊ、４１２ａａの曲率符号と屈曲角度との積の総和と、リング状導波路４１３ａの曲率符号と屈曲角度との積の総和とが、絶対値が同じで符号が反対となっている。これによって、リング状導波路４１３ａにおいて発生した光の偏波面の回転と、曲線導波路４１１ｂ、４１１ｃ、４１１ｅ、４１１ｈ、４１１ｊ、４１２ａａにおいて発生した光の偏波面の回転とが打ち消し合う。その結果、入力された光Ｌ４１がＴＥ偏波、ＴＭ偏波のいずれにであっても、高い偏波保持性が維持された状態で、光Ｌ４２が出力される。
【００９１】
同様に、入力接続導波路４１１においてリング状導波路４１３ｂに到るまでの曲線導波路４１１ｂ、４１１ｃ、４１１ｅ、４１１ｌ、４１１ｍについては、光の導波方向が反時計回りまたは時計周りであり、曲率符号が負または正であり、屈曲角度は６０度または９０度である。曲線導波路４１１ｂ、４１１ｃ、４１１ｅ、４１１ｌ、４１１ｍの曲率符号と屈曲角度との積の総和は−９０度である。
【００９２】
すなわち、第１分岐路と第２分岐路とのそれぞれにおける曲線導波路の曲率符号と屈曲角度との積の総和は、互いに異なる。
【００９３】
一方、リング状導波路４１３ｂの曲線導波路は、光の導波方向が矢印で示すように反時計回りであり、曲率符号が負である。リング状導波路４１３ｂの曲線導波路の屈曲角度は３６０度である。したがって、リング状導波路４１３ｂにおける曲率符号と屈曲角度との積の総和は−３６０度である。
【００９４】
さらに、出力接続導波路４１２ｂにおける曲線導波路４１２ｂａ、４１２ｂｃ、４１２ｂｅ、４１２ｂｇ、４１２ｂｉ、４１２ｂｋ、については、光の導波方向が反時計回りまたは時計周りであり、曲率符号が負または正であり、屈曲角度は９０度または１８０度である。曲線導波路４１２ｂａ、４１２ｂｃ、４１２ｂｅ、４１２ｂｇ、４１２ｂｉ、４１２ｂｋの曲率符号と屈曲角度との積の総和は４５０度である。
【００９５】
その結果曲線導波路４１１ｂ、４１１ｃ、４１１ｅ、４１１ｌ、４１１ｍ、４１２ｂａ、４１２ｂｃ、４１２ｂｅ、４１２ｂｇ、４１２ｂｉ、４１２ｂｋの曲率符号と屈曲角度との積の総和（−９０＋４５０＝３６０）と、リング状導波路４１３ｂにおける曲率符号と屈曲角度との積の総和とが、絶対値が同じで符号が反対となっている。これによって、リング状導波路４１３ｂにおいて発生した光の偏波面の回転と、曲線導波路４１１ｂ、４１１ｃ、４１１ｅ、４１１ｌ、４１１ｍ、４１２ｂａ、４１２ｂｃ、４１２ｂｅ、４１２ｂｇ、４１２ｂｉ、４１２ｂｋにおいて発生した光の偏波面の回転とが打ち消し合う。その結果、入力された光Ｌ４１がＴＥ偏波、ＴＭ偏波のいずれにであっても、高い偏波保持性が維持された状態で、光Ｌ４３が出力される。
【００９６】
光導波路回路４００では、入力接続導波路４１１、出力接続導波路４１２ａ、４１２ｂにおける各曲線導波路の曲率半径と、リング状導波路４１３ａ、４１３ｂの曲率半径とは異なっているので、それぞれを最適な値とできる。さらに、リング状導波路４１３ａ、４１３ｂとで導波路長が互いに異なるので、異なるＦＳＲとできる。たとえば、リング状導波路４１３ａのＦＳＲを７５ＧＨｚとし、リング状導波路４１３ｂのＦＳＲを５０ＧＨｚなるように設計できる。また、入力接続導波路４１１、出力接続導波路４１２ａ、４１２ｂにおける各曲線導波路の曲率半径を２５０μｍとすることで、導波による光損失を低減でき、かつ光導波路回路４００を小型化できる。また、光導波路回路４００では、リング状導波路４１３ａ、４１３ｂの光の周回方向を互いに逆にできるので、設計の自由度が高い。
【００９７】
以上説明したように、光導波路回路４００では、高い偏波保持性を維持しながらＦＳＲの設計の自由度の高さと低い曲げ損失との両立を実現できる。なお、上記の曲率半径や屈曲角度は例示であって、曲げ損失やＦＳＲの要求に応じて自由に設定できる。また、光導波路回路４００では、入力接続導波路４１１の一方と、出力接続導波路４１２ａ、４１２ｂの一方とが、同一の側面へ延びているので、光ファイバアレイや他の光導波路回路と接続し易い。
【００９８】
実施例４として、上記製造方法にて光導波路回路４００の構成を有する光導波路回路を製造した。製造した光導波路回路の特性を測定したところ、２つのリング状導波路によるリング共振器のＦＳＲは７５ＧＨｚ、５０．２ＧＨｚであった。また、入力接続導波路からＴＥ偏波の光を入力して、その偏波モード結合量を測定したところ、−２５ｄＢ以下の好適な値が得られた。また、入力接続導波路および出力接続導波路の曲線導波路の部分をダイシングしてその光損失を測定したところ、０．９５ｄＢ／ｃｍ以下の好適な値であった。
【００９９】
なお、上記実施形態により本発明が限定されるものではない。たとえば、実施形態３、４において、リング状導波路は３以上であってもよいし、分岐部は２以上であってもよいし、分岐路は３以上であってもよい。また、上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【０１００】
１００、２００、３００、４００  光導波路回路
１１０、２１０、３１０、４１０  光導波路
１１１、２１１、３１１、４１１  入力接続導波路
１１１ａ、１１１ｃ、１１１ｅ、２１２ａ、２１２ｃ、２１２ｅ、３１１ａ、３１１ｃ、３１１ｆ、３１１ｉ、３１１ｋ、３１１ｎ、３１２ａｂ、３１２ｂｂ、３１２ｂｄ、３１２ｂｆ、４１１ａ、４１１ｄ、４１１ｇ、４１１ｉ、４１１ｋ、４１１ｎ、４１２ａｂ、４１２ｂｂ、４１２ｂｄ、４１２ｂｆ、４１２ｂｈ、４１２ｂｊ、４１２ｂｌ  直線導波路
１１１ｂ、１１１ｄ、２１２ｂ、２１２ｄ、３１１ｂ、３１１ｆ、３１１ｇ、３１１ｈ、３１１ｊ、３１１ｌ、３１１ｍ、３１２ａａ、３１２ｂａ、３１２ｂｃ、３１２ｂｅ、４１１ｂ、４１１ｃ、４１１ｅ、４１１ｈ、４１１ｊ、４１１ｌ、４１１ｍ、４１２ａａ、４１２ｂａ、４１２ｂｃ、４１２ｂｅ、４１２ｂｇ、４１２ｂｉ、４１２ｂｋ  曲線導波路
１１２、２１２、３１２ａ、３１２ｂ、４１２ａ、４１２ｂ  出力接続導波路
１１３、２１３、３１３ａ、３１３ｂ、４１３ａ、４１３ｂ  リング状導波路
１１４、２１４ａ、２１４ｂ、３１４ａａ、３１４ａｂ、３１４ｂａ、３１４ｂｂ、４１４ａａ、４１４ａｂ、４１４ｂａ、４１４ｂｂ  光合分波器
１２０、２２０、３２０、４２０  クラッド
１２１  下部クラッド
１２２  上部クラッド
３１１ｄ、４１１ｆ  分岐部
【図１】
2020134601.tif 000003
【図２】
2020134601.tif 000004
【図３】
2020134601.tif 000005
【図４】
2020134601.tif 000006
【図５】
2020134601.tif 000007
【図６】
2020134601.tif 000008